(57)【要約】【課題】発光期間変調方式を用いる場合において、動画ぼやけの生じにくい画像表示装置を提供する。【解決手段】発光制御期間内に、時間とともにレベルが変化する発光期間制御信号を複数の画素のそれぞれに対して入力することによって、当該発光期間制御信号のレベルの時間変化と、予め画素ごとに設定された輝度情報と、に応じて決まる期間にわたって、各画素に含まれる発光素子を発光させる画像表示装置であって、発光期間制御信号は、発光制御期間内において、そのレベルが複数回上下動を繰り返す画像表示装置である。【選択図】図４
2010276943.tif 000002
【特許請求の範囲】
【請求項１】
発光制御期間内に、時間とともにレベルが変化する発光期間制御信号を複数の画素のそれぞれに対して入力することによって、当該発光期間制御信号のレベルの時間変化と、予め画素ごとに設定された輝度情報と、に応じて決まる期間にわたって、各画素に含まれる発光素子を発光させる画像表示装置であって、
前記発光期間制御信号は、前記発光制御期間内において、そのレベルが複数回上下動を繰り返す
ことを特徴とする画像表示装置。
【請求項２】
請求項１記載の画像表示装置において、
前記発光期間制御信号は、前記発光制御期間内において、三角波が複数回繰り返される波形で表される
ことを特徴とする画像表示装置。
【請求項３】
請求項１記載の画像表示装置において、
前記発光期間制御信号のレベルの複数回の上下動のそれぞれは、互いに異なる形状の波形によって表される
ことを特徴とする画像表示装置。
【請求項４】
請求項１記載の画像表示装置において、
前記発光素子は、有機エレクトロルミネセンス素子であって、
前記発光期間制御信号のレベルの時間変化と、予め画素ごとに設定された輝度情報と、
に応じて決まる期間にわたって、前記有機エレクトロルミネセンス素子に電流を流すことにより、当該有機エレクトロルミネセンス素子を発光させる
ことを特徴とする画像表示装置。
【発明の詳細な説明】
【技術分野】
【０００１】
本発明は、例えば有機エレクトロルミネッセンス素子などの発光素子を発光させて画素の表示制御を行う画像表示装置に関する。
【背景技術】
【０００２】
例えば発光素子として有機エレクトロルミネッセンス素子（以下、有機ＥＬ素子という）を備えた有機エレクトロルミネッセンス表示装置（以下、有機ＥＬ表示装置という）のように、各画素に設けられた発光素子を発光させることによって、画素の表示制御を行う画像表示装置がある。このような画像表示装置において、画素ごとの輝度を制御する方式の一つとして、発光期間変調方式がある。この方式は、一定期間内において、発光素子が発光する期間の長短を画素ごとに制御することによって、各画素の輝度を調整する方式である。
【０００３】
この方式の具体例について、説明する。まず輝度情報書き込み期間に、各画素を構成する画素回路に輝度情報信号（データ信号）が入力される。この輝度情報信号は、当該画素を発光させようとする輝度に応じたレベルの信号になっている。入力された輝度情報信号のレベルに応じた電荷が画素回路内に蓄積されることによって、各画素に輝度情報が設定される。
【０００４】
その後、発光制御期間内に、発光期間制御信号が画素回路に入力される。この発光期間制御信号は、例えば三角波など、時間とともにレベルが変化する信号になっている。そのため、発光期間制御信号のレベルは、発光制御期間のうちの限られた期間だけ、予め各画素に設定された輝度情報に応じて決まる基準レベルを下回る（又は上回る）ことになる。各画素の画素回路は、発光期間制御信号のレベルがこの基準レベルを下回る（又は上回る）期間の間だけ、電源線から供給される電力を発光素子に入力するよう構成される。したがって、発光期間制御信号のレベルの時間変化と、予め各画素に設定された輝度情報と、に応じて決まる期間にわたって、発光素子が発光する。この発光素子の発光期間が長いほど、人間の目には当該画素が明るく発光しているように感じられる。すなわち、発光制御期間内における発光素子の発光期間の長短によって、各画素の輝度が調整されることになる。このような制御を行う有機ＥＬ表示装置の具体例が、例えば特許文献１，２及び３などに開示されている。
【先行技術文献】
【特許文献】
【０００５】
【特許文献１】特開２００３−５７０９号公報
【特許文献２】特開２００３−１２２３０１号公報
【特許文献３】特開２００８−１７０７８８号公報
【発明の概要】
【発明が解決しようとする課題】
【０００６】
上述したような発光期間変調方式においては、特に画素を高輝度で発光させる際には、１フレーム期間内において一定時間にわたって画素を発光させる必要がある。そのため、このような画像表示装置を用いて動画像を表示する場合、視線追従効果による動画ぼやけが生じるおそれがある。
【０００７】
本発明は上記実情を考慮してなされたものであって、その目的の一つは、発光期間変調方式を用いる場合において、動画ぼやけの生じにくい画像表示装置を提供することにある。
【課題を解決するための手段】
【０００８】
本出願において開示される発明のうち、代表的なものの概要を簡単に説明すれば、以下のとおりである。
【０００９】
（１）発光制御期間内に、時間とともにレベルが変化する発光期間制御信号を複数の画素のそれぞれに対して入力することによって、当該発光期間制御信号のレベルの時間変化と、予め画素ごとに設定された輝度情報と、に応じて決まる期間にわたって、各画素に含まれる発光素子を発光させる画像表示装置であって、前記発光期間制御信号は、前記発光制御期間内において、そのレベルが複数回上下動を繰り返すことを特徴とする画像表示装置。
【００１０】
（２）（１）において、前記発光期間制御信号は、前記発光制御期間内において、三角波が複数回繰り返される波形で表されることを特徴とする画像表示装置。
【００１１】
（３）（１）において、前記発光期間制御信号のレベルの複数回の上下動のそれぞれは、互いに異なる形状の波形によって表されることを特徴とする画像表示装置。
【００１２】
（４）（１）において、前記発光素子は、有機エレクトロルミネセンス素子であって、前記発光期間制御信号のレベルの時間変化と、予め画素ごとに設定された輝度情報と、に応じて決まる期間にわたって、前記有機エレクトロルミネセンス素子に電流を流すことにより、当該有機エレクトロルミネセンス素子を発光させることを特徴とする画像表示装置。
【図面の簡単な説明】
【００１３】
【図１】本発明の実施の形態に係る画像表示装置のガラス基板上に形成される回路の概略構成を示す図である。
【図２】画素回路の構成例を示す回路図である。
【図３】本実施形態に係る画像表示装置の１フレーム期間内における制御動作を示す説明図である。
【図４】一つの画素行に属する各画素回路に入力される信号の一例を示すタイミング図である。
【発明を実施するための形態】
【００１４】
以下、本発明の実施の形態について、図面を参照しながら詳細に説明する。
【００１５】
ここでは、画像表示装置の一態様である有機ＥＬ表示装置に本発明を適用した場合の一例について説明する。本実施形態に係る画像表示装置の表示パネルは、発光素子である有機ＥＬ素子を含む画素回路が行列状に形成されたガラス基板と、当該ガラス基板に貼り合わされて有機ＥＬ素子を封止する封止基板とを含んで構成されている。ガラス基板上には薄膜トランジスタ（ＴＦＴ）が形成され、この薄膜トランジスタを介して有機ＥＬ素子の発光が制御されることによって、画素毎の表示制御が行われる。なお、本実施形態に係る画像表示装置は、トップエミッション型の有機ＥＬ表示装置であってもよいし、ボトムエミッション型の有機ＥＬ表示装置であってもよい。
【００１６】
図１は、本実施形態に係る画像表示装置においてガラス基板上に実装される画素回路の概略構成の一例を示す図である。同図に示されるように、画像表示装置の表示領域内にはそれぞれ発光素子を備えた複数の画素回路１０が行列状に配置されており、各画素回路１０には、データ信号線ＤＡＴ、点灯スイッチ制御線ＩＬＭ、リセットスイッチ制御線ＲＥＳ、及び電源線ＰＷＲが接続される。データ信号線ＤＡＴ及び電源線ＰＷＲは、いずれも表示画面の上下方向（図１のｙ軸方向）に沿って延在し、表示画面の左右方向（図１のｘ軸方向）に沿って互いに並んで複数本配置されている。また、点灯スイッチ制御線ＩＬＭ及びリセットスイッチ制御線ＲＥＳは、いずれも表示画面の左右方向（図１のｘ軸方向）に沿って延在し、表示画面の上下方向（図１のｙ軸方向）に沿って互いに並んで複数本配置されている。すなわち、ｘ軸方向に一列に並んだ複数の画素回路１０が１つの画素行Ｐrowを構成し、同じ画素行Ｐrowに属する各画素回路１０に対しては、共通する点灯スイッチ制御線ＩＬＭ及びリセットスイッチ制御線ＲＥＳが接続される。また、ｙ軸方向に一列に並んだ複数の画素回路１０が１つの画素列Ｐcolを構成し、同じ画素列Ｐcolに属する各画素回路１０に対しては、共通するデータ信号線ＤＡＴ及び電源線ＰＷＲが接続される。
【００１７】
なお、以降の説明では、表示画面の上から数えてｉ番目の画素行をＰrow（ｉ）と表記し、画素行Ｐrow（ｉ）内の各画素回路１０と接続される点灯スイッチ制御線及びリセットスイッチ制御線をそれぞれＩＬＭ（ｉ），ＲＥＳ（ｉ）と表記する。また、表示画面の左から数えてｉ番目の画素列をＰcol（ｉ）と表記し、画素列Ｐcol（ｉ）内の各画素回路１０と接続されるデータ信号線及び電源線をそれぞれＤＡＴ（ｉ），ＰＷＲ（ｉ）と表記する。
【００１８】
また、図１においては、３行３列の計９個の画素回路１０のみが示されているが、実際には表示パネルを構成する画素数に応じた数の画素回路がガラス基板上に行列状に配置される。例えばデジタルスチルカメラ等に用いられる水平方向６４０画素、垂直方向４８０画素の解像度の表示パネルの場合、各画素は赤（Ｒ）、緑（Ｇ）、青（Ｂ）それぞれの色に対応する３つのサブ画素から構成され、各サブ画素に対応して画素回路１０が形成される。したがって、縦方向に４８０行、横方向に６４０×３＝１９２０列で計（４８０×６４０×３）個の画素回路１０がガラス基板上に形成されることとなる。なお、以降の説明においては、１個の画素回路１０によって構成されるサブ画素のそれぞれを、単に画素と表記する。
【００１９】
また、各データ信号線ＤＡＴの一端はデータ信号出力回路１２に、点灯スイッチ制御線ＩＬＭ及びリセットスイッチ制御線ＲＥＳの一端はいずれも走査回路１４に、それぞれ接続される。さらに、各電源線ＰＷＲはいずれも主電源線ＰＷＲｍに接続される。ガラス基板外部の電源からこの主電源線ＰＷＲｍに対して所定の電圧が印加されており、主電源線ＰＷＲｍ及び電源線ＰＷＲを介して、各画素回路１０内の発光素子を駆動するための電力が供給される。なお、データ信号出力回路１２及び走査回路１４は、各画素回路１０を構成するスイッチなどと同様に、ガラス基板上に多結晶シリコンＴＦＴ素子等を用いて形成
されることとしてよい。あるいは、データ信号出力回路１２や走査回路１４は、ガラス基板上に搭載された１個又は複数個のドライバＩＣチップなどによって構成されてもよいし、このようなドライバＩＣチップと多結晶シリコンＴＦＴ素子等の回路素子との組み合わせによって構成されてもよい。
【００２０】
図２は、各画素回路１０の構成例を示す回路図である。各画素回路１０には、発光素子として有機ＥＬ素子２０が設けられており、そのカソード端は共通電極２２に接続される。共通電極２２は、その電位が本実施形態に係る画像表示装置において基準となる基準電位に設定された電極である。また、有機ＥＬ素子２０のアノード端は、ｎ型のＴＦＴによって構成される点灯スイッチ２４の一端に接続され、点灯スイッチ２４の他端は、ｐ型のＴＦＴである駆動ＴＦＴ２６を介して電源線ＰＷＲに接続される。駆動ＴＦＴ２６及び点灯スイッチ２４がともにオン状態になると、電源線ＰＷＲから共通電極２２に向かって有機ＥＬ素子２０内に電流が流れ、これによって有機ＥＬ素子２０が発光する。
【００２１】
さらに、点灯スイッチ２４の他端と駆動ＴＦＴ２６のゲートとの間には、ｎ型のＴＦＴによって構成されるリセットスイッチ２８が接続され、駆動ＴＦＴ２６のゲートにはさらに保持容量３０の一端が接続される。そして、保持容量３０の他端はデータ信号線ＤＡＴに接続される。また、図２に示されるように、点灯スイッチ２４のゲートは点灯スイッチ制御線ＩＬＭに、リセットスイッチ２８のゲートはリセットスイッチ制御線ＲＥＳに、それぞれ接続されている。これらの制御線からＶＨ（高電圧）及びＶＬ（低電圧）の二値の電圧レベルの制御信号が入力されることによって、各スイッチのオン／オフが切り替えられる。すなわち、点灯スイッチ２４は、点灯スイッチ制御線ＩＬＭからＶＨレベルの信号が入力されるとオン状態になり、ＶＬレベルの信号が入力されるとオフ状態になる。同様に、リセットスイッチ２８は、リセットスイッチ制御線ＲＥＳからＶＨレベルの信号が入力されるとオン状態になり、ＶＬレベルの信号が入力されるとオフ状態になる。
【００２２】
以下、本実施形態に係る画像表示装置における各画素の表示制御の具体例について、説明する。
【００２３】
図３は、本実施形態に係る画像表示装置の１フレーム期間Ｔfrm内における制御動作を説明する図であって、横軸は時間ｔを、縦軸は表示画面を構成する各画素行Ｐrowを表している。同図に示されるように、１フレーム期間Ｔfrmは、全体として、前半の輝度情報書き込み期間Ｔdatと後半の発光制御期間Ｔilmとに分割される。そして、さらに輝度情報書き込み期間Ｔdatは、画素行ごとの水平期間Ｔｈ（１），Ｔｈ（２），・・・，に分割される。すなわち、１フレーム期間Ｔfrmが開始すると、まず画素行Ｐrow（１）内の画素への輝度情報書き込み、次に画素行Ｐrow（２）内の画素への輝度情報書き込み、・・・、と順に各画素行Ｐrowへの輝度情報書き込みが行われる。そして、全画素行Ｐrowへの輝度情報書き込みが完了し、表示画面内の全ての画素に対して輝度情報が設定された状態になると、続く発光制御期間Ｔilm内に、設定された輝度情報に応じて各画素を発光させる発光制御が行われる。図３にも示されるように、本実施形態では、発光制御期間Ｔilmは表示画面内の全画素に共通する期間となっており、後述するように、この期間内に全画素の輝度情報に応じた発光制御が一斉に実行される。
【００２４】
図４は、１フレーム期間Ｔfrmのうち、特にｉ番目の画素行Ｐrow（ｉ）に対する輝度情報書き込みを行う水平期間Ｔｈ（ｉ）と、発光制御期間Ｔilmと、において、画素行Ｐrow（ｉ）に属する各画素回路１０に入力される信号の一例を示すタイミング図である。この図４においては、点灯スイッチ制御線ＩＬＭ（ｉ）及びリセットスイッチ制御線ＲＥＳ（ｉ）に入力される制御信号の電圧レベルの時間変化（すなわち信号波形）が示されている。また、画素行Ｐrow（ｉ）内の画素に接続されるデータ信号線ＤＡＴに入力される信号レベルの時間変化の一例も、併せて示されている。
【００２５】
図４にも示されるように、各水平期間Ｔｈ（ｉ）は、さらに前半のデータ入力期間Ｔdiと後半のデータ書き込み期間Ｔdsに分割される。データ入力期間Ｔdi内においては、赤、緑、青それぞれの輝度情報が順にデータ信号出力回路１２に入力される。
【００２６】
続いて、データ書き込み期間Ｔds内において、データ信号出力回路１２に入力された輝度情報を実際に各画素回路１０に対して設定するデータ書き込みが行われる。具体的には、まず点灯スイッチ制御線ＩＬＭ（ｉ）及びリセットスイッチ制御線ＲＥＳ（ｉ）のそれぞれにＶＨレベルの信号が入力されることによって、画素行Ｐrow（ｉ）を構成する各画素回路１０内の点灯スイッチ２４及びリセットスイッチ２８がオン状態になる。点灯スイッチ２４及びリセットスイッチ２８がオン状態になると、駆動ＴＦＴ２６のゲートとドレインとが同電位のダイオード接続となり、駆動ＴＦＴ２６と有機ＥＬ素子２０が導通状態となる。
【００２７】
次に点灯スイッチ制御線ＩＬＭ（ｉ）の信号レベルがＶＬに変化して点灯スイッチ２４がオフ状態になると、駆動ＴＦＴ２６と有機ＥＬ素子２０とが切り離されて有機ＥＬ素子２０に電流が流れなくなる。このとき駆動ＴＦＴ２６のゲートとドレインはリセットスイッチ２８によって短絡されているので、保持容量３０の一端が接続されている駆動ＴＦＴ２６のゲート電圧は、電源線ＰＷＲの電圧から駆動ＴＦＴ２６の閾値電圧Ｖthだけ低い電圧にリセットされる。このリセット動作によって、画素ごとの駆動ＴＦＴ２６の閾値電圧Ｖthのばらつきが吸収されることになる。また、この時点において保持容量３０の他端には、図４に示されるようにある電圧レベルのデータ信号Ｓdatがデータ信号線ＤＡＴから入力されている。ここで、画素行Ｐrow（ｉ）内の各画素に入力されるデータ信号Ｓdatの電圧レベルは、当該画素を発光させるための輝度情報に応じたレベルになっている。
【００２８】
この状態において、図４に示されるようにリセットスイッチ制御線ＲＥＳ（ｉ）の信号レベルがＶＬに変化してリセットスイッチ２８がオフ状態になると、保持容量３０の両端の電位差はその時点の状態のまま保持されることになる。すなわち、各画素を発光させるための輝度情報が各画素回路１０に設定された状態になる。
【００２９】
以上説明したような制御が全画素行Ｐrowに対して実行されることによって、輝度情報書き込み期間Ｔdat内に全ての画素に対して輝度情報の設定が行われる。なお、画素行Ｐrow（ｉ）以外の他の画素行Ｐrowに対して輝度情報の書き込みが行われている間は、点灯スイッチ制御線ＩＬＭ（ｉ）及びリセットスイッチ制御線ＲＥＳ（ｉ）に対する信号入力は行われないので、他の画素行Ｐrow内の画素に対して輝度情報書き込みを行うためのデータ信号Ｓdatが各データ信号線ＤＡＴに入力されても、画素行Ｐrow（ｉ）内の画素に設定された輝度情報はそのまま保持されることとなる。
【００３０】
次に、発光制御期間Ｔilmにおける制御内容について説明する。図４に示されるように、発光制御期間Ｔilmでは、全画素行の点灯スイッチ制御線ＩＬＭにＶＨレベルの信号が入力され、その結果全画素において点灯スイッチ２４がオン状態になる。そのため、各画素において駆動ＴＦＴ２６がオン状態になれば、電源線ＰＷＲから有機ＥＬ素子２０に電流が流れ、当該画素が点灯することになる。
【００３１】
この状態において、各データ信号線ＤＡＴを介して、時間とともに電圧レベルが変化する発光期間制御信号Ｓswpが全画素に対して入力される。このとき、発光期間制御信号Ｓswpの電圧レベルの変動範囲は、輝度情報に応じて各画素回路１０に入力されるデータ信号Ｓdatの電圧レベルの変動範囲に対応した範囲になっている。
【００３２】
この発光期間制御信号Ｓswpの電圧レベルの時間変化と、予め画素ごとに設定された輝度情報と、に応じて決まる期間にわたって、各画素の駆動ＴＦＴ２６がオン状態になり、これによって各画素の有機ＥＬ素子２０が発光する。具体的には、発光期間制御信号Ｓswpの電圧レベルと、画素ごとに入力されたデータ信号Ｓdatの電圧レベルに対応する基準電圧レベルと、の大小関係によって、有機ＥＬ表示素子２０の発光が制御される。本実施形態では、発光期間制御信号Ｓswpの電圧レベルが画素回路１０ごとに設定された基準電圧レベルを下回る期間の間だけ、当該画素回路１０内の駆動ＴＦＴ２６がオン状態になり、有機ＥＬ素子２０に電流が流れる。ここで、本実施形態においては、図４に示されるように、発光期間制御信号Ｓswpの波形は三角波になっている。そのため、画素回路１０に設定された輝度情報に応じた基準電圧レベルが小さければ小さいほど、発光期間制御信号Ｓswpがこの基準電圧レベルを下回る期間は短くなり、有機ＥＬ素子２０が発光する期間も短くなる。逆に基準電圧レベルが大きくなるにつれ、発光期間制御信号Ｓswpが基準電圧レベルを下回る期間は長くなり、有機ＥＬ素子２０が発光する期間が長くなる。それゆえ、予め輝度情報書き込み期間Ｔdatにおいて各画素回路１０に対して輝度情報に応じたデータ信号Ｓdatを入力し、輝度情報の設定を行っておくことによって、発光制御期間Ｔilmにおいて各画素を設定された輝度情報に応じた輝度で発光させることができる。
【００３３】
特に本実施形態においては、図４に示されるように、各画素に対して入力される発光期間制御信号Ｓswpの信号レベルが、１回の発光制御期間Ｔilm内において、複数回上下動を繰り返している。具体的には、発光期間制御信号Ｓswpは、２回の三角波が繰り返し現れる波形になっており、その電圧レベルは、１回の発光制御期間Ｔilmの間に、まず最大値から最小値まで変化した後最小値から最大値まで変化し、再び最大値から最小値まで変化し、さらに最小値から最大値まで変化している。また、各三角波の周期（時間的長さ）は、発行制御期間Ｔilmの１／２になっている。なお、このような波形の発光期間制御信号Ｓswpは、ＲＯＭ等のメモリ内に記録されたデジタルデータをデジタルアナログコンバータによってアナログ信号に変換することによって生成されることとしてもよいし、アナログ回路によって生成されることとしてもよい。
【００３４】
このように、発光期間制御信号Ｓswpのレベルが複数回の上下動を繰り返す波形になっていることにより、発光制御期間Ｔilm内において、各画素の発光は、複数回に分けて行われることになる。具体的に、上述した２回の三角波によって表される発光期間制御信号Ｓswpの場合、各画素に書き込まれた輝度情報に応じた発光期間が、図４に例示されるように、１個の三角波によって表される場合と比較して、その半分の長さの２回の発光期間ｔ１及びｔ２に分割される。すなわち、本実施形態においては、発光期間制御信号Ｓswpが１個の三角波によって表される場合と比較して、各画素の１回あたりの点灯ホールド期間が短くなる。このため、本実施形態に係る画像表示装置によれば、点灯ホールド型の表示装置で発生する視線追従効果による動画ぼやけが生じにくくなっている。
【００３５】
以上説明した本実施形態に係る画像表示装置は、パソコン用ディスプレイ、ＴＶ放送受信用ディスプレイ、公告表示用ディスプレイ等の各種の情報表示用の表示装置として採用できる。また、デジタルスチルカメラ、ビデオカメラ、カーナビゲーションシステム、カーオーディオ、ゲーム機器、携帯情報端末など、各種の電子機器の表示部として利用することも可能である。
【００３６】
特に、デジタルスチルカメラの表示部のように静止画の表示が比較的多いと想定される用途などにおいては、表示画像の性質上、比較的高フレームレートが要求されない場合がある。このような用途において本実施形態に係る画像表示装置を採用すれば、画像データ自体は低フレームレートであっても、高フレームレートの画像表示装置と同等の頻度で各画素を明滅させることができ、フリッカー（ちらつき）を抑えることが可能となる。具体例として、本実施形態に係る画像表示装置が３０ｆｐｓでの画像表示に対応する場合、１回のフレーム期間Ｔfrm内において、従来と比較して半分の期間の画素点灯が２回行われることになる。そのため、６０ｆｐｓの場合に近い頻度で各画素が明滅することとなり、フリッカーを低減できる。この場合でも、表示対象の映像データ自体は３０ｆｐｓでよいので、６０ｆｐｓでの画像表示に対応する画像表示装置と比較して、比較的回路構成を複雑化させることなく、また比較的少ない消費電力で、画像表示を行うことができる。
【００３７】
なお、本発明の実施の形態は以上説明したものに限られず、発光制御期間Ｔilm内に発光期間制御信号Ｓswpを入力することによって、発光期間の長短による輝度制御を行う各種の画像表示装置に適用可能である。例えば以上の説明においては、１フレーム期間Ｔfrmは、輝度情報書き込み期間Ｔdatと発光制御期間Ｔilmとに分割され、発光制御期間Ｔilmは全画素共通であることとしている。しかしながら、画素の発光制御の方法はこのようなものに限られない。すなわち、これまで説明したものとは異なる構成の画素回路を採用することで、いずれかの画素行に対する輝度情報書き込みを行っている間、他の画素行に対しては発光期間制御信号Ｓswpを入力することとし、１フレーム期間Ｔfrm内に各画素行に対して複数回の発光制御期間Ｔilmが設定されることしてもよい。あるいは、本実施形態と同様に画素行ごとに輝度情報書き込み期間Ｔdatと発光制御期間Ｔilmとが設定されるが、この輝度情報書き込み期間Ｔdatは他の画素行に対する輝度情報書き込み期間Ｔdatと時間的にずれるように設定され、その結果として発光制御期間Ｔilmも画素行ごとに少しずつずれることとしてもよい。これらの場合、発光制御期間Ｔilmは全画素共通ではなく、１又は複数の画素行ごとに共通の発光制御期間Ｔilmが設定されることになる。この場合でも、発光制御期間Ｔilm内に入力される発光期間制御信号Ｓswpとして、複数回の上下動を繰り返す波形を持った信号を入力することで、動画ぼやけを生じにくくすることができる。
【００３８】
また、以上の説明においては、発光期間制御信号Ｓswpは三角波が２回繰り返される波形であることとしたが、発光期間制御信号Ｓswpの波形はこのようなものに限られない。例えば発光期間制御信号Ｓswpは、三角波が３回以上繰り返される波形であってもよい。また、発光期間制御信号Ｓswpは、時間とともに線形に信号レベルが変化する三角波に限らず、非線形に信号レベルが変化する波形の信号であってもよい。また、発光期間制御信号Ｓswpは、台形波や、互いにレベルの異なる矩形波が複数個並んだ波形が複数回繰り返される波形であってもよい。
【００３９】
さらに、１回の発光制御期間Ｔilmにおける発光期間制御信号Ｓswpを構成する複数回の信号レベルの上下動のそれぞれは、互いに異なる形状の波形によって表されることとしてもよい。具体例として、発光期間制御信号Ｓswpは、三角波と台形波とが連続する波形であってもよい。さらに、複数回の信号レベルの上下動のそれぞれは、互いにそのピークレベルが異なることとしてもよい。このように互いに形状やピークレベルの異なる複数の波形を組み合わせた発光期間制御信号Ｓswpを使用することによって、輝度レベルに応じた複雑な発光期間の制御を、容易に実現することができる。
【００４０】
また、本発明の実施の形態に係る画像表示装置が以上説明した画素回路１０と異なる構成の画素回路を採用する場合、発光期間制御信号Ｓswpは必ずしもデータ信号線ＤＡＴから入力されるとは限らず、これとは独立した信号線から入力されることとしてもよい。
【００４１】
また、以上の説明においては発光素子として有機ＥＬ素子を用いることとしたが、これに限らず、本発明の実施の形態に係る画像表示装置は、例えば無機ＥＬ素子やＦＥＤ（Field-Emission Device）など、各種の発光素子を用いた画像表示装置であってよい。
【符号の説明】
【００４２】
１０  画素回路、１２  データ信号出力回路、１４  走査回路、２０  有機ＥＬ素子、２２  共通電極、２４  点灯スイッチ、２６  駆動ＴＦＴ、２８  リセットスイッチ、３０  保持容量、ＤＡＴ  データ信号線、ＩＬＭ  点灯スイッチ制御線、ＰＷＲ  電源線、ＰＷＲｍ  主電源線、ＲＥＳ  リセットスイッチ制御線。
【図１】
2010276943.tif 000003
【図２】
2010276943.tif 000004
【図３】
2010276943.tif 000005
【図４】
2010276943.tif 000006